(57)【要約】【課題】  本発明は、排出物が適正に処理されているか否かを、簡易な構成で確実に認証することができる認証システム及びその方法を提供することを目的とする。【解決手段】  入荷側端末装置から送信された識別情報、出荷時重量情報及び入荷時重量情報を受信すると、受信した識別情報、出荷時重量情報及び入荷時重量情報と、記憶部に対応付けて記憶されている識別情報及び出荷時重量情報とを比較することにより、排出物の認証処理を実行し認証結果情報を出力する認証処理部を備える。【選択図】  図１
2009140448.tif 000002
【特許請求の範囲】
【請求項１】
排出物を出荷する側に設置された出荷側端末装置と、前記排出物を入荷する側に設置された入荷側端末装置とが、サーバ装置に接続された認証システムにおいて、
前記入荷側端末装置は、
入荷された前記排出物に取り付けられている記憶媒体から、前記記憶媒体に割り当てられている識別情報と、前記排出物の出荷時に測定及び記憶された出荷時重量情報とを読み出す読出し部と、
前記識別情報及び前記出荷時重量情報と、前記排出物の入荷時に測定及び入力された入荷時重量情報とを、前記サーバ装置に送信する入荷側端末装置用送信部と
を備え、
前記サーバ装置は、
前記出荷側端末装置から送信された前記識別情報と前記出荷時重量情報とを対応付けて記憶する記憶部と、
前記入荷側端末装置から送信された前記識別情報、前記出荷時重量情報及び前記入荷時重量情報を受信すると、前記受信した前記識別情報、前記出荷時重量情報及び前記入荷時重量情報と、前記記憶部に対応付けて記憶されている前記識別情報及び前記出荷時重量情報とを比較することにより、前記排出物の認証処理を実行し認証結果情報を出力する認証処理部と、
前記認証結果情報に応じた表示画面を表示する表示部と、
前記認証結果情報を前記入荷側端末装置に送信するサーバ装置用送信部と
を備えることを特徴とする認証システム。
【請求項２】
前記認証処理部は、
前記入荷側端末装置から送信された前記識別情報、前記出荷時重量情報及び前記入荷時重量情報を受信すると、前記受信した前記識別情報を用いて、前記記憶部に記憶されている前記識別情報の中から、前記受信した前記識別情報に対応する前記識別情報を検索し、前記受信した前記識別情報に対応する前記識別情報が前記記憶部に記憶されていなかった場合には、前記認証結果情報として認証失敗情報を出力する
ことを特徴とする請求項１に記載の認証システム。
【請求項３】
前記認証処理部は、
前記受信した前記識別情報を用いて検索を行った結果、前記受信した前記識別情報に対応する前記識別情報が前記記憶部に記憶されていた場合には、前記受信した前記出荷時重量情報と、前記記憶部に前記識別情報に対応付けて記憶されている前記出荷時重量情報とを比較し、これらが一致しなかった場合には、前記認証結果情報として認証失敗情報を出力する
ことを特徴とする請求項２に記載の認証システム。
【請求項４】
前記認証処理部は、
前記受信した前記出荷時重量情報と、前記記憶部に前記識別情報に対応付けて記憶されている前記出荷時重量情報とを比較した結果、これらが一致した場合には、前記受信した前記入荷時重量情報と、前記記憶部に前記識別情報に対応付けて記憶されている前記出荷時重量情報とを比較し、これらが一致しなかった場合には、前記認証結果情報として認証失敗情報を出力する
ことを特徴とする請求項３に記載の認証システム。
【請求項５】
前記認証処理部は、
前記受信した前記入荷時重量情報と、前記記憶部に前記識別情報に対応付けて記憶されている前記出荷時重量情報とを比較した結果、これらが一致した場合には、前記認証結果情報として認証成功情報を出力する
ことを特徴とする請求項４に記載の認証システム。
【請求項６】
前記入荷側端末装置は、
前記認証結果情報として認証失敗情報が送信された場合には、前記入荷側端末装置が前記出荷側端末装置として動作する際、前記認証失敗情報を前記記憶媒体に書き込んだ上で前記記憶媒体を発行する発行処理部
をさらに備えることを特徴とする請求項１に記載の認証システム。
【請求項７】
前記入荷側端末装置は、
前記認証結果情報として認証失敗情報が送信された場合には、前記入荷側端末装置が前記出荷側端末装置として動作する際、前記記憶媒体の発行を禁止する発行処理部
をさらに備えることを特徴とする請求項１に記載の認証システム。
【請求項８】
排出物を出荷する側に設置された出荷側端末装置と、前記排出物を入荷する側に設置された入荷側端末装置とが、サーバ装置に接続された認証システムの認証方法において、
入荷された前記排出物に取り付けられている記憶媒体から、前記記憶媒体に割り当てられている識別情報と、前記排出物の出荷時に測定及び記憶された出荷時重量情報とを読み出す読出しステップと、
前記識別情報及び前記出荷時重量情報と、前記排出物の入荷時に測定及び入力された入荷時重量情報とを、前記入荷側端末装置から前記サーバ装置に送信する入荷側端末装置用送信ステップと、
前記入荷側端末装置から送信された前記識別情報、前記出荷時重量情報及び前記入荷時重量情報を受信すると、前記受信した前記識別情報、前記出荷時重量情報及び前記入荷時重量情報と、前記出荷側端末装置から送信され記憶部に対応付けて記憶されている前記識別情報及び前記出荷時重量情報とを比較することにより、前記排出物の認証処理を実行し認証結果情報を出力する認証処理ステップと、
前記認証結果情報に応じた表示画面を表示する表示ステップと、
前記認証結果情報を前記入荷側端末装置に送信するサーバ装置用送信ステップと
を備えることを特徴とする認証方法。
【請求項９】
前記認証処理ステップは、
前記入荷側端末装置から送信された前記識別情報、前記出荷時重量情報及び前記入荷時重量情報を受信すると、前記受信した前記識別情報を用いて、前記記憶部に記憶されている前記識別情報の中から、前記受信した前記識別情報に対応する前記識別情報を検索し、前記受信した前記識別情報に対応する前記識別情報が前記記憶部に記憶されていなかった場合には、前記認証結果情報として認証失敗情報を出力する
ことを特徴とする請求項８に記載の認証方法。
【請求項１０】
前記認証処理ステップは、
前記受信した前記識別情報を用いて検索を行った結果、前記受信した前記識別情報に対応する前記識別情報が前記記憶部に記憶されていた場合には、前記受信した前記出荷時重量情報と、前記記憶部に前記識別情報に対応付けて記憶されている前記出荷時重量情報とを比較し、これらが一致しなかった場合には、前記認証結果情報として認証失敗情報を出力する
ことを特徴とする請求項９に記載の認証方法。
【請求項１１】
前記認証処理ステップは、
前記受信した前記出荷時重量情報と、前記記憶部に前記識別情報に対応付けて記憶されている前記出荷時重量情報とを比較した結果、これらが一致した場合には、前記受信した前記入荷時重量情報と、前記記憶部に前記識別情報に対応付けて記憶されている前記出荷時重量情報とを比較し、これらが一致しなかった場合には、前記認証結果情報として認証失敗情報を出力する
ことを特徴とする請求項１０に記載の認証方法。
【請求項１２】
前記認証処理ステップは、
前記受信した前記入荷時重量情報と、前記記憶部に前記識別情報に対応付けて記憶されている前記出荷時重量情報とを比較した結果、これらが一致した場合には、前記認証結果情報として認証成功情報を出力する
ことを特徴とする請求項１１に記載の認証方法。
【請求項１３】
前記認証結果情報として認証失敗情報が送信された場合には、前記入荷側端末装置が前記出荷側端末装置として動作する際、前記認証失敗情報を前記記憶媒体に書き込んだ上で前記記憶媒体を発行する発行処理ステップ
をさらに備えることを特徴とする請求項８に記載の認証方法。
【請求項１４】
前記認証結果情報として認証失敗情報が送信された場合には、前記入荷側端末装置が前記出荷側端末装置として動作する際、前記記憶媒体の発行を禁止する発行処理ステップ
さらに備えることを特徴とする請求項８に記載の認証方法。
【発明の詳細な説明】
【技術分野】
【０００１】
本発明は、認証システム及びその方法に関する。
【背景技術】
【０００２】
近年、排出事業者から排出された排出物が、適正に処理されているか否かを監視するため、種々のシステムが開発されている。かかるシステムとして、例えば、運搬される排出物の位置情報や時間情報を取得することにより、当該排出物が適正に処理されているか否かを監視するシステムが提案されている（例えば、特許文献１参照）。
【特許文献１】特開２００５−１８２５０２号公報
【発明の開示】
【発明が解決しようとする課題】
【０００３】
本発明は、排出物が適正に処理されているか否かを、簡易な構成で確実に認証することができる認証システム及びその方法を提供することを目的とする。
【課題を解決するための手段】
【０００４】
本発明の一態様による認証システムは、
排出物を出荷する側に設置された出荷側端末装置と、前記排出物を入荷する側に設置された入荷側端末装置とが、サーバ装置に接続された認証システムにおいて、
前記入荷側端末装置は、
入荷された前記排出物に取り付けられている記憶媒体から、前記記憶媒体に割り当てられている識別情報と、前記排出物の出荷時に測定及び記憶された出荷時重量情報とを読み出す読出し部と、
前記識別情報及び前記出荷時重量情報と、前記排出物の入荷時に測定及び入力された入荷時重量情報とを、前記サーバ装置に送信する入荷側端末装置用送信部と
を備え、
前記サーバ装置は、
前記出荷側端末装置から送信された前記識別情報と前記出荷時重量情報とを対応付けて記憶する記憶部と、
前記入荷側端末装置から送信された前記識別情報、前記出荷時重量情報及び前記入荷時重量情報を受信すると、前記受信した前記識別情報、前記出荷時重量情報及び前記入荷時重量情報と、前記記憶部に対応付けて記憶されている前記識別情報及び前記出荷時重量情報とを比較することにより、前記排出物の認証処理を実行し認証結果情報を出力する認証処理部と、
前記認証結果情報に応じた表示画面を表示する表示部と、
前記認証結果情報を前記入荷側端末装置に送信するサーバ装置用送信部と
を備える。
【０００５】
また本発明の一態様による認証方法は、
排出物を出荷する側に設置された出荷側端末装置と、前記排出物を入荷する側に設置された入荷側端末装置とが、サーバ装置に接続された認証システムの認証方法において、
入荷された前記排出物に取り付けられている記憶媒体から、前記記憶媒体に割り当てられている識別情報と、前記排出物の出荷時に測定及び記憶された出荷時重量情報とを読み出す読出しステップと、
前記識別情報及び前記出荷時重量情報と、前記排出物の入荷時に測定及び入力された入荷時重量情報とを、前記入荷側端末装置から前記サーバ装置に送信する入荷側端末装置用送信ステップと、
前記入荷側端末装置から送信された前記識別情報、前記出荷時重量情報及び前記入荷時重量情報を受信すると、前記受信した前記識別情報、前記出荷時重量情報及び前記入荷時重量情報と、前記出荷側端末装置から送信され記憶部に対応付けて記憶されている前記識別情報及び前記出荷時重量情報とを比較することにより、前記排出物の認証処理を実行し認証結果情報を出力する認証処理ステップと、
前記認証結果情報に応じた表示画面を表示する表示ステップと、
前記認証結果情報を前記入荷側端末装置に送信するサーバ装置用送信ステップと
を備える。
【発明の効果】
【０００６】
本発明の認証システム及びその方法によれば、排出物が適正に処理されているか否かを、簡易な構成で確実に認証することができる。
【発明を実施するための最良の形態】
【０００７】
以下、本発明の実施の形態について図面を参照して説明する。
【０００８】
図１に、本発明の実施の形態による認証システム１０の構成を示す。この認証システム１０は、排出事業者６０Ａから排出された排出物が適正に処理されているか否かを認証するためのシステムであり、サーバ装置２０に、例えばインターネット回線などの通信回線４０を介して、複数の端末装置３０Ａ〜３０Ｅを接続することにより形成される。
【０００９】
なお、サーバ装置２０は、排出物が適正に処理されているか否かを認証する認証機関５０内に設置されている。端末装置３０Ａは、排出物を排出する排出事業者６０Ａ内に設置されている。端末装置３０Ｂは、入荷された排出物を破砕する再生処理事業者６０Ｂ内に設置されている。端末装置３０Ｃは、例えば海運事業者などの運輸事業者６０Ｃ内に設置されている。端末装置３０Ｄは、再生処理事業者６０Ｄ内に設置されている。端末装置３０Ｅは、入荷された排出物を再資源化（再利用）する最終製品製造事業者６０Ｅ内に設置されている。
【００１０】
各事業者６０間（すなわち、排出事業者６０Ａ及び再生処理事業者６０Ｂ間、再生処理事業者６０Ｂ及び運輸事業者６０Ｃ間、運輸事業者６０Ｃ及び再生処理事業者６０Ｄ間、再生処理事業者６０Ｄ及び最終製品製造事業者６０Ｅ間）における排出物の輸送は、例えば自動車に排出物を搭載することにより行われる。この認証システム１０は、排出事業者６０Ａから排出された排出物が適正に処理されているか否かを認証することにより、各事業者６０間における排出物の輸送中に、例えば排出物の不法投棄などの不正行為が発生することを防止する。
【００１１】
図２に示すように、各事業者６０内に設置されている端末装置３０には、リーダライタ１００が接続され、このリーダライタ１００は、排出物に貼付される記憶媒体としてのＩＣタグ１１０に対してデータの読み書きを行う。図３に、認証機関５０内に設置されているサーバ装置２０の回路構成を示し、図４に、端末装置３０の回路構成を示す。
【００１２】
まず、排出事業者６０Ａの作業員が、出荷側端末装置としての端末装置３０Ａの入力部１３０を操作することにより、排出しようとする排出物に関する情報である排出物情報を入力すると、制御部１２０は、この排出物情報を送受信処理部１７０に出力する。なお、排出物情報としては、排出物の素材（例えば廃プラスチック）、形状などが挙げられる。
【００１３】
排出事業者６０Ａ内に設置されている端末装置３０Ａの送受信処理部１７０は、この排出物情報を、通信回線４０を介して、認証機関５０内に設置されているサーバ装置２０に送信する。サーバ装置２０の送受信処理部２１０は、排出物情報を受信すると、これを制御部２００に出力する。制御部２００は、この排出物情報を記憶部２３０に記憶する。
【００１４】
続いて、端末装置３０Ａの制御部１２０は、事業者情報（例えば、排出事業者３０Ａ固有の識別番号）、日時などが印字されたＩＣタグ１１０を、印刷部１５０から発行する。このＩＣタグ１１０には、半導体チップが内蔵され、データの書き込み及び読み出しを行うことができる。また、ＩＣタグ１１０には、当該ＩＣタグ１１０固有の識別情報が割り当てられており、ＩＣタグ１１０には、この識別情報が予め記憶されている。
【００１５】
そして、排出物の重量が測定され、作業員がリーダライタ１００を操作することにより、出荷時における排出物の重量に関する情報として、出荷時重量情報を入力する。リーダライタ１００は、出荷時重量情報が入力されると、ＩＣタグ１１０との間で無線通信を行うことにより、出荷時重量情報をＩＣタグ１１０に送信し記憶すると共に、ＩＣタグ１１０から識別情報を読み出す。そして、排出事業者３０Ａの作業員は、このＩＣタグ１１０を排出物に貼付する。
【００１６】
端末装置３０Ａの制御部１２０は、リーダライタ１００によって取得された識別情報及び出荷時重量情報を送受信処理部１７０に出力する。端末装置３０Ａの送受信処理部１７０は、これら識別情報及び出荷時重量情報を通信回線４０を介してサーバ装置２０に送信する。
【００１７】
サーバ装置２０の送受信処理部２１０は、これら識別情報及び出荷時重量情報を受信すると、これらを制御部２００に出力する。制御部２００は、記憶部２３０に記憶されている排出物情報に識別情報及び出荷時重量情報を追加して記憶することにより、識別情報と排出物情報と出荷時重量情報とを対応付けて記憶部２３０に記憶する。
【００１８】
排出事業者６０Ａの作業員は、ＩＣタグ１１０が貼付された排出物を自動車に搭載することにより、排出物の出荷作業を行う。そして、この排出物は、自動車によって再生処理事業者６０Ｂに輸送され、再生処理事業者６０Ｂの作業員が、排出物を自動車から降ろすことにより、排出物の入荷作業を行う。
【００１９】
続いて、再生処理事業者６０Ｂの作業員がリーダライタ１００を操作すると、リーダライタ１００は、入荷側端末装置の読出し部として動作し、入荷された排出物に貼付されているＩＣタグ１１０との間で無線通信を行う。
【００２０】
すなわち、リーダライタ１００は、入荷された排出物に貼付されているＩＣタグ１１０との間で無線通信を行うことにより、ＩＣタグ１１０から識別情報及び出荷時重量情報を読み出し、これらを端末装置３０Ｂに与える。
【００２１】
その際、再生処理事業者６０Ｂの作業員は、入荷された排出物の重量を測定し、リーダライタ１００を操作することにより、入荷時における排出物の重量に関する情報として、入荷時重量情報を入力する。リーダライタ１００は、入荷時重量情報が入力されると、これを端末装置３０Ｂに与える。
【００２２】
端末装置３０Ｂは、リーダライタ１００と共に入荷側端末装置を形成し、当該端末装置３０Ｂの制御部１２０は、リーダライタ１００から識別情報、出荷時重量情報及び入荷時重量情報を受け取ると、これらを送受信処理部１７０に出力する。
【００２３】
入荷側端末装置用送信部としての送受信処理部１７０は、識別情報、出荷時重量情報及び入荷時重量情報を通信回線４０を介してサーバ装置２０に送信する。サーバ装置２０の送受信処理部２１０は、端末装置３０Ｂから送られてきた識別情報、出荷時重量情報及び入荷時重量情報を受信すると、これらを制御部２００に出力する。
【００２４】
認証処理部としての制御部２００は、入荷側端末装置としての端末装置３０Ｂから送信された識別情報、出荷時重量情報及び入荷時重量情報を受信すると、当該受信した識別情報、出荷時重量情報及び入荷時重量情報と、記憶部２３０に対応付けて記憶されている識別情報及び出荷時重量情報とを比較することにより、排出物の認証処理を実行し認証結果情報を出力する
【００２５】
具体的には、制御部２００は、端末装置３０Ｂから送信された識別情報、出荷時重量情報及び入荷時重量情報を受信すると、当該受信した識別情報を用いて、記憶部２３０に記憶されている識別情報の中から、受信した識別情報に対応する識別情報を検索し、受信した識別情報に対応する識別情報が記憶部２３０に記憶されていなかった場合には、排出物に貼付されているＩＣタグ１１０のすり替えや改ざんが行われたとして、認証結果情報として認証失敗情報を出力する。
【００２６】
制御部２００は、受信した識別情報を用いて検索を行った結果、当該受信した識別情報に対応する識別情報が記憶部２３０に記憶されていた場合には、受信した出荷時重量情報と、記憶部２３０に識別情報に対応付けて記憶されている出荷時重量情報とを比較し、これらが一致しなかった場合には、排出物に貼付されているＩＣタグ１１０のすり替えや改ざんが行われたとして、認証結果情報として認証失敗情報を出力する。
【００２７】
制御部２００は、受信した出荷時重量情報と、記憶部２３０に識別情報に対応付けて記憶されている出荷時重量情報とを比較した結果、これらが一致した場合には、再生処理事業者６０Ｂに入荷された排出物に貼付されているＩＣタグ１１０が、排出事業者６０Ａから出荷された排出物に貼付されたＩＣタグ１１０と同一であると判断し、受信した入荷時重量情報と、記憶部２３０に識別情報に対応付けて記憶されている出荷時重量情報とを比較する。その結果、制御部２００は、これらが一致しなかった場合には、認証結果情報として認証失敗情報を出力する。
【００２８】
制御部２００は、受信した入荷時重量情報と、記憶部２３０に識別情報に対応付けて記憶されている出荷時重量情報とを比較した結果、これらが一致した場合には、認証結果情報として認証成功情報を出力する。
【００２９】
表示部２２０は、制御部２００から認証結果情報が送られてくると、この認証結果情報に応じた表示画面を表示する。送受信処理部２１０は、制御部２００から認証結果情報が送られてくると、サーバ装置用送信部として動作し、この認証結果情報を端末装置３０Ｂに送信する。
【００３０】
入力側端末装置としての端末装置３０Ｂの制御部１２０は、認証結果情報として認証失敗情報が送信された場合には、出荷時すなわち当該端末装置３０Ｂが出荷側端末装置として動作する際には、発行処理部として動作することにより、認証失敗情報をＩＣタグ１１０に書き込んだ上で当該ＩＣタグ１１０を発行する。なお、この場合、ＩＣタグ１１０の発行を禁止しても良い。
【００３１】
これ以降、再生処理事業者６０Ｂの出荷作業から運輸事業者６０Ｃの入荷作業までにおける認証処理、運輸事業者６０Ｃの出荷作業から再生処理事業者６０Ｄの入荷作業までにおける認証処理、再生処理事業者６０Ｄの出荷作業から最終製品製造事業者６０Ｅの入荷作業までにおける認証処理は、上述した排出事業者６０Ａの出荷作業から再生処理事業者６０Ｂの入荷作業までにおける認証処理と同様に行われる。
【００３２】
ここで図５に、本実施の形態による認証処理手順ＲＴ１０を示す。この図７において、端末装置３０は、認証処理手順ＲＴ１０に入ると、ステップＳＰ１０において、排出物に関する情報である排出物情報が入力されると、これをサーバ装置２０に送信し記憶する。
【００３３】
ステップＳＰ２０において、端末装置３０は、ＩＣタグ１１０を発行する。ステップＳＰ３０において、リーダライタ１００は、出荷時における排出物の重量が測定され、排出物の出荷時重量情報が入力されると、これをＩＣタグ１１０に記憶すると共に、ＩＣタグ１１０から識別情報を読み出し、これら識別情報及び出荷時重量情報を端末装置３０に出力する。ステップＳＰ４０において、端末装置３０は、識別情報及び出荷時重量情報をサーバ装置２０に送信し記憶する。
【００３４】
ステップＳＰ５０において、出荷作業が行われた後、ＩＣタグ１１０が貼付された排出物が、次の事業者に輸送され、続くステップＳＰ６０において、当該事業者６０において入荷作業が行われる。
【００３５】
ステップＳＰ７０において、端末装置３０は、リーダライタ１００によって、入荷された排出物に貼付されているＩＣタグ１１０から識別情報及び出荷時重量情報が読み出され、またリーダライタ１００から入荷時重量情報が入力されると、これら識別情報及び出荷時重量情報と、入荷時重量情報とをサーバ装置２０に送信する。
【００３６】
ステップＳＰ８０において、サーバ装置２０は、端末装置３０Ｂから送信された識別情報、出荷時重量情報及び入荷時重量情報を受信すると、当該受信した識別情報、出荷時重量情報及び入荷時重量情報と、記憶部２３０に対応付けて記憶されている識別情報及び出荷時重量情報とを比較することにより、排出物の認証処理を実行する。
【００３７】
ステップＳＰ９０において、サーバ装置２０は、認証に成功したと判断した場合には、ステップＳＰ１００に移って、認証成功情報を表示部２２０に表示する共に、これを端末装置３０に送信する。
【００３８】
これに対して、ステップＳＰ９０において、サーバ装置２０は、認証に失敗したと判断した場合には、ステップＳＰ１４０に移って、認証失敗情報を表示部２２０に表示すると共に、これを端末装置３０に送信する。ステップＳＰ１５０において、端末装置３０は、認証失敗情報が送信された場合には、出荷時には、認証失敗情報をＩＣタグ１１０に書き込んだ上で当該ＩＣタグ１１０を発行する発行処理の設定を行う。
【００３９】
そして、ステップＳＰ１１０において、事業者６０によって所定の処理が行われた後、ステップＳＰ１２０において、当該実行された処理が、最終製品製造事業者６０Ｅによる最終製品製造処理であると判断された場合には、ステップＳＰ１３０に移って、認証処理手順ＲＴ１０を終了する。これに対して、ステップＳＰ１２０において、当該実行された処理が、最終製品製造事業者６０Ｅによる最終製品製造処理でないと判断された場合には、ステップＳＰ１０に戻って、上述の処理を繰り返す。
【００４０】
このように本実施の形態によれば、排出物が適正に処理されているか否かを、簡易な構成で確実に認証することができ、従って、排出物の輸送中における不法投棄などの不正行為を確実に防止することができる。
【００４１】
なお、上述の実施の形態は一例であって、本発明を限定するものではない。例えば、認証システム１０は、サーバ装置２０に端末装置３０Ａ〜３０Ｅを接続することにより形成されるのではなく、少なくとも、排出物を出荷する側に設置された出荷側端末装置と、排出物を入荷する側に設置された入荷側端末装置とが、サーバ装置に接続されることにより形成されていれば良い。
【００４２】
また、上述の実施の形態においては、排出物に取り付けられる記憶媒体として、ＩＣタグ１１０を適用した場合について述べたが、例えばバーコードなど、他の種々の記憶媒体を適用するようにしても良い。
【図面の簡単な説明】
【００４３】
【図１】本発明の実施の形態による認証システムの構成を示すブロック図である。
【図２】同認証システムにおける事業者内の装置構成を示すブロック図である。
【図３】同認証システムにおけるサーバ装置の回路構成を示すブロック図である。
【図４】同認証システムにおける端末装置の回路構成を示すブロック図である。
【図５】本発明の実施の形態による認証処理手順を示すフローチャートである。
【符号の説明】
【００４４】
１０  認証システム
２０  サーバ装置
３０  端末装置
１００  リーダライタ
１１０  ＩＣタグ
１２０、２００  制御部
１３０、２４０  入力部
１４０、２３０  記憶部
１６０、２２０  表示部
【図１】
2009140448.tif 000003
【図２】
2009140448.tif 000004
【図３】
2009140448.tif 000005
【図４】
2009140448.tif 000006
【図５】
2009140448.tif 000007